(57)【要約】【課題】患者を倒（寝）状態にして上顎歯等を診療する場合に、安頭台（本体部）の下部が、患者の頸椎を圧迫しないようにして、患者に不快感を与えることなく歯科治療を行えるようにする。【解決手段】起倒可能な歯科治療椅子１０に装着される安頭台本体部１１の構造であって、該安頭台は、患者の後頭部を支える本体部１１の下部１１ａが上方に切り欠かれた凹形状をしている。患者の上顎歯等を診療する場合、治療椅子１０を倒（寝）状態にし、安頭台本体部１１を傾動して、患者の頭頂部が下側になるようにするが、その際、安頭台本体部１１の下部１１ａが切り欠かれて凹形状になっているので、この部分に患者の頸椎に入り、患者の頸椎を圧迫するようなことはない。【選択図】図１
2009022495.tif 000002
【特許請求の範囲】
【請求項１】
起倒可能な歯科治療椅子に装着される安頭台であって、該安頭台は、患者の後頭部を支える本体部の下部が上方に切り欠かれた凹形状をしていることを特徴とする歯科治療椅子における安頭台。
【請求項２】
前記安頭台本体部に切り欠かれた凹形状の大きさは、倒（寝）診療時、該安頭台本体部の下部が患者の頸椎を圧迫しない大きさであることを特徴とする請求項１に記載の歯科治療椅子における安頭台。
【請求項３】
前記安頭台本体部は前後に傾動可能であることを特徴とする請求項１又は２に記載の歯科治療椅子における安頭台。
【請求項４】
前記安頭台本体部の下部にクッション材が収納されていることを特徴とする請求項１乃至３のいずれかに記載の歯科治療椅子における安頭台。
【請求項５】
前記クッション材はゲル状物質であることを特徴とする請求項４に記載の歯科治療椅子における安頭台。
【発明の詳細な説明】
【技術分野】
【０００１】
本発明は、歯科治療椅子における安頭台、より詳細には、歯科治療椅子を倒（寝）状態にして患者の上顎歯等を診療する際に、安頭台本体部の下部が患者の頸椎を圧迫しないようにした、換言すれば、安頭台本体部の下部を上方に切り欠いた凹形状とし、該凹形状部（安頭台本体の下部）が患者の頸椎にフィットするようにして患者に不快感を与えないようにし、更には、髪型がポニーテールの患者に対して、前記凹形状に切り欠かれた空間を通して髪が垂れ下がるようにして、ポニーテールの患者に対して快適に歯科治療が受けられるようにした歯科治療椅子用の安頭台に関する。
【背景技術】
【０００２】
図３は、従来の歯科治療椅子の一例を説明するための要部概略構成図で、図中、１０は歯科治療椅子の全体構成を示し、該歯科治療椅子１０は、周知のように、安頭台（本体部）１１、バックレスト１２、コンターシート１３、レッグレスト１４、フットレスト１５等から成り、歯科治療に当り、患者はコンターシート１３に座り、起状態（図３の実線で示す状態）で診療を受け、或いは、倒（寝）状態（図３の破線で示す状態）で診療を受ける。
【０００３】
図４は、倒（寝）状態で診療を受ける時の患者の頭部と安頭台（本体部）１１との関係を示す図で、この場合、特に、安頭台（本体部）１１の下部１１ａを上方に上げ、患者の上顎歯が術者によく見えるようにして、換言すれば、患者の頭頂部が下方になるようにして診療を行う。
【発明の開示】
【発明が解決しようとする課題】
【０００４】
而して、従来の安頭台においては、図３に示したように、安頭台（本体部）１１の下部１１ａが略水平にあるいはやや下方に突出しており、このため、図４に示したように、倒（寝）状態にて診療時、特に、患者の上顎歯等を診療する場合、術者が患者の口腔内をよく見えるようにするため、患者の頭頂部が下方になるように、安頭台（本体部）１１を傾動させて該安頭台（本体部）の下部１１ａが上方になるようにすると、該安頭台（本体部）１１の下部１１ａが患者の頸椎に当って頸椎を圧迫し、患者に不快感を与える等の問題があった。
【０００５】
本発明は、上述のごとき課題を解決するためになされたもので、特に、患者を倒（寝）状態にして上顎歯等を診療する場合に、安頭台（本体部）の下部が、患者の頸椎を圧迫しないようにして、患者に不快感を与えることなく歯科治療を行えるようにすることを目的としてなされたものである。
【課題を解決するための手段】
【０００６】
本発明は、上記目的を達成するために、
第１の発明は、起倒可能な歯科治療椅子に装着される安頭台であって、該安頭台は、患者の後頭部を支える本体部の下部が上方に切り欠かれた凹形状をしていることを特徴としたものである。
【０００７】
第２の発明は、第１の発明において、前記安頭台本体部に切り欠かれた凹形状の大きさは、倒（寝）診療時、該安頭台本体部の下部が患者の頸椎を圧迫しない大きさであることを特徴としたものである。
【０００８】
第３の発明は、第１又は第２の発明において、前記安頭台本体部は前後に傾動可能であることを特徴としたものである。
【０００９】
第４の発明は、第１乃至第３のいずれかの発明において、前記安頭台本体部の下部にクッション材が収納されていることを特徴としたものである。
【００１０】
第５の発明は、第４の発明において、前記クッション材はゲル状物質であることを特徴としたものである。
【発明の効果】
【００１１】
歯科治療椅子を倒（寝）状態にして患者の上顎歯等を診療する際に、安頭台本体部の下部が患者の頸椎を圧迫しないようにしたので、換言すれば、安頭台本体部の下部を上方に切り欠いた凹形状とし、該凹形状部（安頭台本体の下部）が患者の頸椎にフィットするようにしたので、患者に不快感を与えることなく上顎歯等の診療を行うことができ、更には、髪型がポニーテールの患者に対しては、前記凹形状に切り欠かれた空間を通して髪を垂れ下げることができるので、ポニーテールの患者も快適に歯科治療が受けられる。
【発明を実施するための最良の形態】
【００１２】
図１は、本発明による安頭台を備えた歯科治療椅子の一例を説明するための全体概略構成図で、治療椅子本体の機構、機能等は、図３に示した従来の歯科用治療椅子と全く同じであるので、同一の機構、機能を有する部分には、図３の場合と同一の参照番号を付し、その説明は省略する。
【００１３】
而して、本発明においては、安頭台（本体部）１１の下部１１ａが上方に切り欠かれた凹形状部１１’に形成され、この凹形状部１１’に患者の頸椎がフィットするようになっており、それによって、治療椅子を倒（寝）状態にして、患者の上顎歯等を診療する場合に、安頭台（本体部）１１の下部１１ａが患者の頸椎を圧迫しないようにしている。
【００１４】
図２は、本発明による安頭台を備えた歯科治療椅子を使用して歯科治療を行っている時の要部構成図で、図２（Ａ）は、患者の上顎歯を診療している時の様子を示し、図２（Ａ）は、髪型がポニーテールの患者を診療している時の様子を示す図である。
【００１５】
患者の上顎歯等を診療する場合は、図２（Ａ）に示すように、術者が口腔内の上顎歯等を見やすくするために、安頭台本体部１１を安頭台支持基台部１１0に対して傾動させて、該安頭台本体部１１の下部１１ａを上方に持ち上げ、患者の頭頂部が下方になるようにするが、その際、従来の安頭台本体部においては、該安頭台本体部１１の下部１１ａが患者の頸椎にあたり、患者の頸椎を圧迫して患者に不快感を与えるが、本発明においては、図１に示したように、安頭台本体部１１の下部１１ａが上方に凹形状になるように切り欠かれているので、患者の頸椎がこの切り欠き凹部にフィットし（入り込み）、患者の頸椎を圧迫するようなことはない。
【００１６】
髪型がポニーテール（長髪）の患者の場合は、図２（Ｂ）に示すように、倒（寝）状態で診療時（上顎歯の診療に関係なく）、ポニーテールを安頭台本体部の下方に設けられた切り欠き凹部の空間を通して垂れ下げることができるので、患者は髪の乱れ等を気にすることなく、歯科治療を受けることができる。
【００１７】
以上に、本発明に係る歯科治療椅子における安頭台の実施形態について説明したが、更に付言すれば、安頭台本体部が安頭台支持基台に対して傾動可能に取り付けられている場合、安頭台本体部の傾動が大きく、より効果的である。また、安頭台本体部下部の切り欠き凹部の大きさは、患者の頸椎が入る（フィットする）程度の大きさであり、小さすぎると所期の目的を達成することができない。
【００１８】
更に、安頭台本体部の下部に柔軟性のクッション部材を収納しておく時は、安頭台本体部の下部が患者の頸椎に接した場合でも、患者にそれ程不快感を与えることなく、歯科治療を行うことができる。特に、クッション材としてゲル状物質を安頭台本体内に収納するような場合、安頭台本体部の下方部のみに収納しておくようにすれば、ゲル状物質の使用量を少なくして、より安価にすることができる。
【図面の簡単な説明】
【００１９】
【図１】本発明による安頭台を備えた歯科治療椅子の一例を示す要部概略構成図である。
【図２】本発明による安頭台の使用状態を説明するための図である。
【図３】従来の安頭台を備えた歯科治療椅子の一例を説明するための要部概略構成図である。
【図４】従来の安頭台の使用状態を説明するための図である。
【符号の説明】
【００２０】
１０…歯科治療椅子、１１…安頭台本体部、１１0…安頭台支持基台、１１ａ…安頭台本体部下部、１１’…切り欠き凹形状部。
【図１】
2009022495.tif 000003
【図２】
2009022495.tif 000004
【図３】
2009022495.tif 000005
【図４】
2009022495.tif 000006